(57)【要約】      （修正有）【課題】既存の室内において設置や撤去が容易に行えると共に安価に提供することができる、ボルダリングウォールを提供する。【解決手段】発泡合成樹脂を素材とした内部壁材の表面全体に硬質樹脂を素材とした外部壁材を接着して一体化し、該外部壁材の表面にホルダー６を固定するためのボルト穴２を縦方向及び横方向に多数穿孔して構成する。設置時において、壁面３に配置したボルダリングウォール１の上面と天井面５との間に当該ボルダリングウォールを固定するための固定具（ストッパー８とアジャスター９）を具備して構成する。【選択図】図１
0003212092.tif 000002
【実用新案登録請求の範囲】
【請求項１】
発泡合成樹脂を素材とした内部壁材の表面全体に硬質樹脂を素材とした外部壁材を接着して一体化し、該外部壁材の表面にホルダーを固定するためのボルト穴を縦方向及び横方向に多数穿孔して構成したことを特徴とする、ボルダリングウォール。
【請求項２】
設置時において、壁面に配置したボルダリングウォールの上面と天井面との間に当該ボルダリングウォールを固定するための固定具を具備して構成することを特徴とする請求項１に記載の、ボルダリングウォール。
【考案の詳細な説明】
【技術分野】
【０００１】  本考案は、既存の室内において設置や撤去が容易に行えると共に安価に提供することができる、ボルダリングウォールに関するものである。
【背景技術】
【０００２】  近年、道具を使わずに自分の手足だけで岩壁をよじ登るフリークライミング又はボルダリング（以後ボルダリングという）と称されるスポーツが人気を博し、愛好者が増えている。このボルダリングを行うためには、クライミングウォール又はボルダリングウォール（以後ボルダリングウォールという）と称される人工壁を壁面に設置した専用施設にて行われている。該専用施設では、競技や本格的な練習を行うことを目的としており、該ボルダリングウォールをコンクリートやＦＲＰ（ガラス繊維強化プラスチック）で構築し、その表面に自然の岩肌を模した人工壁としている。【０００３】  上記の如く近年のボルダリング熱の高まりから、個人住宅を始め幼稚園などの各種施設において、簡易的なボルダリングウォールを設置してボルダリングの練習や遊びを行うことが普及している。該簡易的なボルダリングウォールを設置する場合、新築の住宅や施設では設計段階でボルダリングウォールの設置に対応した専用構造とする必要があり、既存の住宅や施設では壁面に鉄骨や木材で枠組みを増築した上にコンクリートやＦＲＰ又はベニヤなどの木製平板でボルダリングウォールを設置する必要があった。しかしながら、該コンクリートやＦＲＰ又はベニヤなどの木製平板及び枠組みは、壁面に固定設置する必要性とかなりの重量があるため、設置や撤去が容易に行えるものではなかった。【０００４】  ボルダリングウォールの重量を軽減して設置を容易にする方法として、例えば特開２００１−３０３５９５号公報記載の「発明の名称：人工壁及びその製造方法」には、発泡スチロールからなる内部壁材と、これに一体化されている強化コンクリートからなる外部壁材と、この外部壁材に外周面が被覆された状態で一体化されているアウターホールド用アンカーと、このアウターホールド用アンカーに固定されたアウターホールドとによって構成された人工壁についての記載がある。【０００５】
【特許文献１】特開２００１−３０３５９５
【考案の開示】
【考案が解決しようとする課題】
【０００６】  上記公報に記載の人工壁即ちボルダリングウォールは、専用施設に設置して競技や本格的な練習を行うタイプであり、個人住宅を始め幼稚園などの各種施設に設置して練習や遊びを行うタイプではない。そのため、ホールド（アウター用及びインナー用）を固定するためのボルトと螺着するためのナットは、強化コンクリートからなる外部壁材と一体化して固定すると共に発泡スチロールからなる内部壁材に埋設した複雑な構造となる。このため、該構造のボルダリングウォールを個人住宅を始め幼稚園などの各種施設に設置しようとしても、内部壁材である発泡スチロールの表面に外部壁材である強化コンクリートを吹き付けるなどの本格的な作業が必要となると共に重量も嵩むことにより、既存の室内において設置や撤去を容易に行うことができないという問題点がある。更には構造が複雑で安価に提供することができないという問題点もある。【０００７】  本考案は、従来及び上記公報に記載のボルダリングウォールの問題点を解決するために成されたものであり、既存の室内において設置や撤去が容易に行えると共に安価に提供することができる、ボルダリングウォールを得ることを目的とする。
【課題を解決するための手段】
【０００８】  上記課題を解決すべく本考案のボルダリングウォールは、発泡合成樹脂を素材とした内部壁材の表面全体に硬質樹脂を素材とした外部壁材を接着して一体化し、該外部壁材の表面にホルダーを固定するためのボルト穴を縦方向及び横方向に多数穿孔して構成する。【０００９】  設置時において、壁面に配置したボルダリングウォールの上面と天井面との間に当該ボルダリングウォールを固定するための固定具を具備して構成する。
【考案の効果】
【００１０】  本考案のボルダリングウォールによれば、既存の住宅や施設にボルダリングウォールを設置する際において壁面に鉄骨や木材で枠組みを増築する必要がなく、構成素材が発泡合成樹脂及び硬質樹脂のために軽量で、固定設置も壁面に配置したボルダリングウォールの上面と天井面との間に具備した固定具のみで行えるため、設置や撤去が容易に行えるという効果を奏する。更には構造が簡単で安価に提供することができるという効果も奏する。
【考案を実施するための最良の形態】
【００１１】  本考案のボルダリングウォールを実施するための最良の形態を、図を用いて説明する。【００１２】  図１は本考案のボルダリングウォールの構成例を示した正面図であり、図３は図１におけるＡ−Ａ断面図である。該図に示すように本考案のボルダリングウォール１は、発泡合成樹脂を素材とした内部壁材１２の表面全体に硬質樹脂を素材とした外部壁材１３を接着して一体化し、該外部壁材１３の表面にホルダー６を固定するためのボルト穴２を縦方向及び横方向に多数穿孔して構成する。【００１３】  上記発泡合成樹脂の材料は、ポリスチレンやポリウレタン及びポリプロピレンなどが好適であるが、その材料や硬度及び製法などは特に限定するものではない。また、上記硬質樹脂の材料は、ポリエチレンやポリプロピレンなどが好適であるが、こちらもその材料や硬度及び製法などは特に限定するものではない。【００１４】  上記硬質樹脂を素材とした外部壁材１３は、発泡合成樹脂を素材とした内部壁材１２を保護すると共にボルダリングウォール１の撓み強度を増強する機能性とデザイン性を有するものである。そのため、ボルダリングウォール１の表面となる外部壁材１３には色や模様を付けるとデザイン性が向上して好適となる。【００１５】  外部壁材１３の表面の縦方向及び横方向に多数穿孔するボルト穴２の上下左右の間隔は、使用するホルダー６の形状や大きさ及びボルダリングウォール１自体の大きさに応じた任意の間隔とし、その配列パターンも任意とする。なお図１において、ホルダー６を固定していないボルト穴２は、ホルダー６の配置パターンを変更する際の予備穴となるものであるが、ホルダー６の配置パターンが固定の場合は、該当する位置にのみボルト穴２を穿孔しても構わない。【００１６】  また図３に示すように、ボルト穴２を穿孔した内部壁材１２の内面にパイプ１５を連通して埋設しておくと、ホルダー６を固定する際において当該ホルダー６に穿孔された固定穴１１より挿入したボルト７の先端部が内部壁材１２を傷つけることなくスムーズに挿入及び押え板付きナット１０と螺着することができて好適となる。【００１７】  上記押え板付きナット１０は、ナットの片側に円盤状の樹脂板が固定されたものであり、該樹脂板がボルト穴２の周辺の外部壁材１３と広面積で接触して固定できるため、該外部壁材１３のボルト穴２の周辺を陥没変形させることがなく、更には従来のワッシャーを使用するよりも作業性が向上して好適となる。【００１８】  図１は、上記の如く構成されたボルダリングウォール１に複数のホルダー６を任意の配置パターンにて固定し、既存の室内の壁面３に沿って床面４に配置すると共に当該ボルダリングウォール１の上面と天井面５との間に固定具を具備して固定設置した状態を示している。該図においては、ストッパー８とアジャスター９の２種類の固定具を示している。【００１９】  図２は本考案のボルダリングウォールの構成例を示した側面図であり、複数のホルダー６を固定したボルダリングウォール１を壁面３に配置する際において当該ボルダリングウォール１を強く押え付けると、ホルダー６の固定時に使用した押え板付きナット１０のナット面が壁面３を傷付けることがある。このため、任意の箇所にある複数のホルダー６において、該ホルダー６を固定するボルト７に長めのボルトを使用し、別の押え板付きナット１０ａを逆向きにして前記長めのボルトと共締めを行うことにより、壁面３とボルダリングウォール１との間に空間が保持され、押え板付きナット１０のナット面による壁面３への接触を防止して傷付けを防止することができる。なお、該方法によらずとも一定の厚さの発泡合成樹脂板などを適度な間隔で挿入するなどの方法であっても構わない。【００２０】  また図３に示すように、ストッパー８はボルダリングウォール１と同様に発泡合成樹脂を素材とした内部材１２ａの表面全体に硬質樹脂を素材とした外部材１３ａを接着して一体化して構成し、壁面３側の厚さを僅かに薄くしたテーパー状とする。なお、ボルダリングウォール１の上面も前記ストッパー８のテーパー状の傾斜面と当着するようテーパー状とする。更にはストッパー８及びアジャスター９の上面と底面にはゴム又はスポンジを素材とした薄い摩擦シート１４を貼着する。【００２１】  上記の如く構成したストッパー８及びアジャスター９を、壁面３に沿って配置したボルダリングウォール１の上面と天井面５との間に挿入し、ストッパー８にあってはテーパー状の傾斜面をスライドして奥に押し込み、アジャスター９にあっては伸長して押え付けることにより当該ボルダリングウォール１を強固に固定設置することができる。【００２２】  なお、固定具による固定方法は、図１に示したようなストッパー８とアジャスター９の２種類の固定具を一緒に使用する必要はなく、ボルダリングウォール１の大きさに合わせて、ストッパー８のみ又はアジャスター９の複数使用のみであっても構わない。更には他の形状及び構造の固定具であっても構わない。【００２３】  本考案のボルダリングウォール１の大きさは、縦寸法と横寸法を複数段階に設定した規格品として販売するのが好適であるが、顧客の要望に応じてカスタマイズすることもできる。また、縦寸法が長く撓み強度に懸念がある場合には、ボルダリングウォール１自体の奥行きを厚くしたり、ボルダリングウォール１の内部又は外部に補強部材を具備することにより撓み強度を増強することができ、安全に使用することができる。【００２４】  上述したように、本考案のボルダリングウォール１を既存の住宅や施設に設置する際においては、壁面３に鉄骨や木材で枠組みを増築する必要がなく、構成素材が発泡合成樹脂及び硬質樹脂のために軽量で、固定設置も壁面３に配置したボルダリングウォール１の上面と天井面５との間に具備した固定具のみで行えるため、設置や撤去が容易に行えることになる。更には構造が簡単なため安価に提供することができることになる。【００２５】  なお、上記説明ではボルダリングウォール１の設置場所を既存の住宅や施設における室内としたが、室外においても天井面に相当する箇所がある場合には、室外に設置することもできる。更にはボルダリングウォール１の側面形状を図２において平板状で示したが、曲面や傾斜面などを形成して使用することもできる。
【図面の簡単な説明】
【００２６】
【図１】本考案のボルダリングウォールの構成例を示した正面図である。
【図２】本考案のボルダリングウォールの構成例を示した側面図である。
【図３】図１におけるＡ−Ａ断面図である。
【符号の説明】
【００２７】１  ボルダリングウォール
２  ボルト穴
３  壁面
４  床面
５  天井面
６  ホルダー
７  ボルト
８  ストッパー
９  アジャスター
１０  押え板付きナット
１１  固定穴
１２  内部壁材
１２ａ  内部材
１３  外部壁材
１３ａ  外部材
１４  摩擦シート
１５  パイプ
【図１】
0003212092.tif 000003
【図２】
0003212092.tif 000004
【図３】
0003212092.tif 000005